(57)【特許請求の範囲】
【請求項１】
周方向へ延びる係合突部が軸方向へ所定間隔で複数設けられた軸部を有するダンパ本体と、筒部の一端に外側へ延びるフランジが設けられ、このフランジとで被取付部材を挟持する弾性挟持片が前記筒部に設けられるとともに、前記フランジ側から前記筒部内へ圧入される前記軸部の前記係合突部に係合する弾性係止片が前記筒部に設けられたグロメットと、からなる緩衝装置において、
前記軸部の一端部に前記係合突部を設け、この係合突部よりも他端側の前記軸部に雄ねじを設けるとともに、この雄ねじに螺合するストッパを設け、このストッパを前記軸部に対して回転させて前記フランジへ当接させることにより、前記グロメットから突出する前記ダンパ本体の突出長を固定する、ことを特徴とする緩衝装置。
【請求項２】
請求項１に記載の緩衝装置において、前記係合突部の部分に軸方向へ延び、前記弾性係止片に衝合する衝合突条を設けた、ことを特徴とする緩衝装置。
【請求項３】
雌ねじに、ダンパ本体の雄ねじを螺合させて螺合長を変化させることにより、前記雌ねじが設けられている部材から突出する前記ダンパ本体の突出長を調整する緩衝装置において、
前記ダンパ本体は、頭部の下面の中心から垂下する軸部に雄ねじが設けられ、
前記部材は、円形の筒部の上端に外側へ延びて周回するようにフランジが連設され該フランジとで被取付部材を挟持する弾性挟持片が前記筒部に設けられるとともに、前記筒部の内側に雌ねじが連設されたグロメットであって、
前記ダンパ本体を回転させて前記雄ねじと前記雌ねじとの螺合長を変化させることにより、前記ダンパ本体の突出長が変化する割合を示す突出長変化量表示手段を前記ダンパ本体と前記グロメットとの少なくとも一方に設けた、ことを特徴とする緩衝装置。
【発明の詳細な説明】
【０００１】
【発明の属する技術分野】
この発明は、例えば自動車のボンネット、トランクカバー、ドアなどの閉成位置を調整するための衝合停止部材として使用される緩衝装置に関するものである。
【０００２】
【従来の技術】
上記した緩衝装置は、閉めたボンネット、トランクカバーまたはドアに衝合して停止させるとともに、閉めた状態のボンネット、トランクカバーまたはドアのラインをボディのラインに一致させるため、閉めた状態のボンネットまたはトランクカバーの高さを調整したり、または閉めた状態のドアの位置を調整するものであり、外周に雄ねじが形成された円柱状のダンパ本体と、このダンパ本体の雄ねじが螺合する雌ねじが設けられ、被取付部材に取り付けられるグロメットとで構成されている。
【０００３】
次に、緩衝装置の取り付けについて説明する。
まず、車体の所定位置に設けられている取付孔を利用してグロメットを車体の所定位置に取り付ける。
そして、グロメットの雌ねじにダンパ本体の雄ねじを螺合させてグロメットにダンパ本体を取り付けることにより、車体へ緩衝装置を取り付ける。
【０００４】
次に、グロメットから突出するダンパ本体の突出長の調整について説明する。
まず、ダンパ本体の突出長が長い場合、すなわちボディのラインよりもボンネットのラインが突出している場合は、雌ねじと雄ねじとの螺合長、すなわちグロメットとダンパ本体との螺合長が長くなるようにダンパ本体を回転させてグロメットにさらに螺合させることにより、ダンパ本体のグロメットからの突出長を短くする。
【０００５】
また、ダンパ本体の突出長が短い場合、すなわちボディのラインよりもボンネットのラインが凹んでいる場合は、グロメットとダンパ本体との螺合長が短くなるようにダンパ本体を回転させてグロメットとの螺合を解除させ、螺合長を短くすることにより、ダンパ本体のグロメットからの突出長を長くする。
このように、グロメットに対してダンパ本体を回転させることにより、ボディのラインとボンネットのラインとが一致するようにダンパ本体のグロメットからの突出長を所定長に調整することにより、ボディのラインとボンネットのラインとを一致させることができる。
なお、このような緩衝装置は、例えば実公平７−４９０５公報に開示されている。
【０００６】
【発明が解決しようとする課題】
従来の緩衝装置でダンパ本体のグロメットからの突出長を調整する場合、ボディのラインとボンネットのラインとの隙間（高低差）を測定し、この隙間に基づき、目測によってダンパ本体の突出長を調整するので、ボディのラインとボンネットのラインとの隙間をなくすためには２度、３度とダンパ本体の突出長を調整する必要があり、作業効率が悪かった。
【０００７】
この発明は、上記したような不都合を解消するためになされたもので、作業効率よく簡単にダンパ本体の突出長を所望長に調整、設定することのできる緩衝装置を提供するものである。
【０００８】
【課題を解決するための手段】
この発明にかかる緩衝装置は、周方向へ延びる係合突部が軸方向へ所定間隔で複数設けられた軸部を有するダンパ本体と、筒部の一端に外側へ延びるフランジが設けられ、このフランジとで被取付部材を挟持する弾性挟持片が前記筒部に設けられるとともに、前記フランジ側から前記筒部内へ圧入される前記軸部の前記係合突部に係合する弾性係止片が前記筒部に設けられたグロメットと、からなる緩衝装置において、軸部の一端部に係合突部を設け、この係合突部よりも他端側の軸部に雄ねじを設けるとともに、この雄ねじに螺合するストッパを設け、このストッパを軸部に対して回転させてフランジへ当接させることにより、グロメットから突出するダンパ本体の突出長を固定するようにしたものである。そして、係合突部の部分に軸方向へ延び、弾性係止片に衝合する衝合突条を設けるのが望ましい。
【０００９】
また、他の発明は、雌ねじに、ダンパ本体の雄ねじを螺合させて螺合長を変化させることにより、前記雌ねじが設けられている部材から突出する前記ダンパ本体の突出長を調整する緩衝装置において、前記ダンパ本体は、頭部の下面の中心から垂下する軸部に雄ねじが設けられ、前記部材は、円形の筒部の上端に外側へ延びて周回するようにフランジが連設され該フランジとで被取付部材を挟持する弾性挟持片が前記筒部に設けられるとともに、前記筒部の内側に雌ねじが連設されたグロメットであって、前記ダンパ本体を回転させて前記雄ねじと前記雌ねじとの螺合長を変化させることにより、前記ダンパ本体の突出長が変化する割合を示す突出長変化量表示手段を前記ダンパ本体と前記グロメットとの少なくとも一方に設けたものである。
【００１０】
【発明の実施の形態】
以下、この発明の実施形態を図に基づいて説明する。
図１はこの発明の一実施形態である緩衝装置の一部を断面にした分解正面図、図２は図１に示した緩衝装置の一部を破断した分解斜視図、図３は図１に示したグロメットの平面図、図４は図１に示したストッパの平面図、図５〜図８はこの発明の一実施形態である緩衝装置のパネルへの取り付け方、ダンパ本体の突出長の調整、ダンパ本体の突出長の固定の仕方を示す説明図である。
【００１１】
なお、図１、図５におけるグロメットの断面は図３のＡ−Ａ線に相当し、また、図１、図５におけるストッパの断面は、図４のＣ−Ｃ線に相当する。
そして、図６〜図８におけるグロメットの断面は図３のＢ−Ｂ線に相当し、また、図６〜図８におけるストッパの断面は、図４のＤ−Ｄ線に相当する。
【００１２】
これらの図において、１１はゴム製のダンパ本体を示し、円板状の頭部１２と、この頭部１２に一体成形され、頭部１２の下面の中心から垂下する軸部１３とで構成されている。
そして、軸部１３には、下側に、軸方向に直交して周回する係合突部１４が軸方向へ所定間隔で複数設けられ、また、係合突部１４の部分に、軸方向へ延びて後述する弾性係止片２５に衝合する衝合突条１５が設けられ、さらに、係合突部１４および衝合突条１５よりも上側に雄ねじ１６が設けられている。
なお、係合突部１４の外径は雄ねじ１６の内径とされ、また、衝合突条１５の高さは、雄ねじ１６の外径とされている。
【００１３】
２１は合成樹脂製のグロメットを示し、平面視四角形の筒部２２と、この筒部２２の上端（一端）に外側へ延びて周回するように連設されたフランジ２３と、このフランジ２３とでパネル（被取付部材）Ｐを挟持するように筒部２２の対向位置に連設された２つの弾性挟持片２４と、フランジ２３側から下端（他端）側へ縮閉するように筒部２２の対向位置に連設された２つの弾性係止片２５とで構成されている。
なお、弾性係止片２５の先端（下端）の間隔は、係合突部１４の幅よりも狭く設定されている。
【００１４】
３１は合成樹脂製のストッパを示し、円板状に成形され、雄ねじ１６に螺合する雌ねじ３２が設けられている。
なお、雌ねじ３２は、衝合突条１５を挿通できるように、一部が軸方向に切り欠かれている。
Ｐは被取付部材としてのパネルを示し、筒部２２を嵌合させることのできる四角形の取付孔Ｈが設けられている。
【００１５】
次に、緩衝装置の取り付けの一例について説明する。
まず、筒部２２の下側を取付孔Ｈに対応させ、グロメット２１をパネルＰ側へ押圧すると、筒部２２の外周から一部が突出している弾性挟持片２４はパネルＰの縁に押されて内側へ撓む。
そして、弾性挟持片２４がパネルＰを通過するとともに、フランジ２３がパネルＰの上側に当接すると、弾性挟持片２４が自身の弾性で元の状態へ復帰してパネルＰの下側に当接し、図５に示すように、フランジ２３と弾性挟持片２４とでパネルＰを挟持するので、筒部２２はパネルＰに取り付けられる。
【００１６】
次に、ストッパ３１へ軸部１３の下側を挿入して雌ねじ３２に雄ねじ１６を螺合させ、ストッパ３１を頭部１２の下面に当接させた後、衝合突条１５を弾性係止片２５から外れた位置に位置させ、軸部１３の下側を筒部２２内へフランジ２３側から挿入して弾性係止片２５の間へ圧入し、図５および図６に示すように、弾性係止片２５を係合突部１４の下側部分に係合させて軸部１３を弾性係止片２５に挟持させ、ダンパ本体１１のグロメット２１からの突出長を略最大とすることにより、緩衝装置の取り付けが完了する。
なお、図５および図６に示すように緩衝装置を組み立てた後、緩衝装置をパネルＰに取り付けてもよい。
【００１７】
次に、ダンパ本体１１の突出長の調整、突出長の固定について説明する。
まず、図５および図６に示す状態のダンパ本体１１の上へ、例えば、図示を省略したボンネットをゆっくり下降させて閉じ、ボディのラインとボンネットのラインとを一致させると、図７に示すように、ダンパ本体１１がボンネットで押圧されて所定位置まで下降することにより、所定数の係合突部１４が弾性係止片２５を拡開させながら乗り越え、ボディのラインとボンネットのラインとが一致する位置の係合突部１４が、弾性係止片２５に係合するので、ダンパ本体１１を回転させずにダンパ本体１１の突出長は一度で調整される。
【００１８】
そして、ボンネットを開け、ダンパ本体１１に対してストッパ３１を下降させるように回転させると、図８に示すように、ダンパ本体１１もストッパ３１とともに回転するが、衝合突条１５が弾性係止片２５に衝合することにより、ストッパ３１のみが回転することとなり、図８に示すように、ストッパ３１をフランジ２３に当接（圧接）させることができる。
このようにストッパ３１をフランジ２３に当接させると、ダンパ本体１１はこれ以上下降しなくなるので、ダンパ本体１１の突出長は固定される。
【００１９】
上述したように、この発明の一実施形態によれば、弾性係止片２５を係合突部１４に係合させてダンパ本体１１のグロメット２１からの突出長を保持する構成にしたので、ダンパ本体１１のグロメット２１からの突出長を略最大にした状態で、単にダンパ本体１１をグロメット２１内へ押し込むことにより、作業効率よく簡単に、かつダンパ本体１１を回転させずに、一度でダンパ本体１１の突出長を所望長に調整、設定することができる。
【００２０】
そして、軸部１３に雄ねじ１６を設け、この雄ねじ１６に螺合するストッパ３１を設けたので、ストッパ３１を軸部１３に対して回転させてグロメット２１のフランジ２３へ当接させることにより、グロメット２１から突出するダンパ本体１１の突出長を変化しないように固定することができる。
さらに、弾性係止片２５が衝合する衝合突条１５を係合突部１４の部分に設けたので、衝合突条１５を弾性係止片１４に衝合させることにより、ストッパ３１のみを回転させることができるため、片手でストッパ３１を回転させてグロメット２１から突出するダンパ本体１１の突出長を片手で操作性よく固定することができる。
【００２１】
図９はこの発明の他の実施形態である緩衝装置の分解斜視図、図１０は図９に示したグロメットの平面図、図１１は図９に示したグロメットの正面図、図１２は図９に示したグロメットの底面図、図１３は図１０のＥ−Ｅ線による断面図、図１４はこの発明の他の実施形態である緩衝装置のパネルへの取り付け方、ダンパ本体の突出長の調整の仕方を示す説明図である。
【００２２】
これらの図において、４１はゴム製のダンパ本体を示し、円板状の頭部４２と、この頭部４２に一体成形され、頭部４２の下面の中心から垂下する軸部４３とで構成されている。
そして、頭部４２の上面の周縁に、半径方向の外側を指し示す二等辺三角形の指標４２ａが設けられている。
また、軸部４３には、下端から上端側へ雄ねじ４４が設けられている。
【００２３】
５１は合成樹脂製のグロメットを示し、平面視円形の筒部５２と、この筒部５２の上端（一端）に外側へ延びて周回するように連設されたフランジ５３と、このフランジ５３とでパネルＰを挟持するように筒部５２の対向位置に連設された２つの弾性挟持片５４と、筒部５２の内側に連設された雌ねじ５５とで構成されている。
そして、筒部５２の外周面には、パネルＰの突出孔ｒに係合することにより、グロメット５１の回り止めとして機能する回り止め突条５６が軸方向へ連設されている。
【００２４】
また、フランジ５３の上面（筒部５２と反対側の面）には、目盛り５３ａが設けられている。
この目盛り５３ａは、雄ねじ４４と雌ねじ５５とのピッチにより、ダンパ本体４１を４５度回転させることによって何ｍｍ突出長が変化するかを表示するものであり、この実施形態の場合、ダンパ本体４１を４５度回転させることによって突出長が０．５ｍｍ変化することを示している。
【００２５】
Ｐは被取付部材としてのパネルを示し、筒部５２を嵌合させることのできる円形の取付孔ｈと、この取付孔ｈに重なり、取付孔ｈの半径方向へのびた突出孔ｒとが設けられている。
【００２６】
次に、緩衝装置の取り付けの一例について説明する。
まず、筒部５２の下側を取付孔ｈに対応させるとともに、回り止め突条５６を突出孔ｒに対応させ、グロメット５１をパネルＰ側へ押圧すると、筒部５２の外周から一部が突出している弾性挟持片５４はパネルＰの縁に押されて内側へ撓む。
そして、弾性挟持片５４がパネルＰを通過するとともに、フランジ５３がパネルＰの上側に当接すると、弾性挟持片５４が自身の弾性で元の状態へ復帰してパネルＰの下側に当接し、図１４に示すように、フランジ５３と弾性挟持片５４とでパネルＰを挟持するので、筒部５２はパネルＰに取り付けられる。
なお、このようにして緩衝装置を取り付けたとき、ダンパ本体４１の指標４２ａを目盛り５３ａに合わせておく。
【００２７】
次に、ダンパ本体４１の突出長の調整について説明する。
まず、図示を省略したボンネットを閉じることによって下降させ、ボディのラインとボンネットのラインとの隙間（高低差）を計測する。
そして、ボンネットのラインがボディのラインよりも高い、すなわちボディからボンネットが突出している場合は、ボンネットを開け、ダンパ本体４１の突出長を短くするため、ダンパ本体４１を時計方向（雄ねじ４４と雌ねじ５５との螺合長が長くなる方向）へ計測値に見合う角度、例えば計測値が２．０ｍｍであれば、ダンパ本体４１を１８０度させ、指標４２ａを目盛り５３ａの「２」に合わせることにより、ダンパ本体４１の突出長の調整が完了する。
【００２８】
また、ボンネットのラインがボディのラインよりも低い、すなわちボディからボンネットが凹んでいる場合は、ボンネットを開け、ダンパ本体４１の突出長を長くするため、ダンパ本体４１を反時計方向（雄ねじ４４と雌ねじ５５との螺合長が短くなる方向）へ計測値に見合う角度、例えば計測値が１．５ｍｍであれば、ダンパ本体４１を１３５度させ、指標４２ａを目盛り５３ａの「１．５」に合わせることにより、ダンパ本体４１の突出長の調整が完了する。
【００２９】
上述したように、この発明の他の実施形態によれば、ダンパ本体４１の突出長が変化する割合を示す突出長変化量表示手段（指標４２ａおよび目盛り５３ａ）をダンパ本体４１とフランジ５３とに設けたので、突出長変化量表示手段を見ながらダンパ本体４１をグロメット５１に対して回転させることにより、作業効率よく簡単にダンパ本体１１の突出長を所望長に調整、設定することができる。
【００３１】
また、突出長変化量表示手段を指標４２ａと目盛り５３ａとで構成したが、突出長変化量表示手段を指標のみ、または目盛りのみで構成し、この突出長変化手段をダンパ本体、または、雌ねじが設けられている部材に設けても、突出長変化量表示手段を見ながらダンパ本体を回転させることにより、ダンパ本体の突出長を調整することができる。
【００３２】
【発明の効果】
以上のように、この発明によれば、弾性係止片を係合突部に係合させてダンパ本体のグロメットからの突出長を保持する構成にしたので、ダンパ本体のグロメットからの突出長を略最大にした状態で、単にダンパ本体をグロメット内へ押し込むことにより、作業効率よく簡単に、かつダンパ本体を回転させずに、一度でダンパ本体の突出長を所望長に調整、設定することができるものであり、軸部に雄ねじを設け、この雄ねじに螺合するストッパを設けたので、ストッパを軸部に対して回転させてグロメットのフランジへ当接させることにより、グロメットから突出するダンパ本体の突出長を変化しないように固定することができる。
【００３３】
さらに、弾性係止片が衝合する衝合突条を係合突部の部分に設けたので、衝合突条を弾性係止片に衝合させることにより、ストッパのみを回転させることができるため、片手でストッパを回転させてグロメットから突出するダンパ本体の突出長を片手で操作性よく固定することができる。
【００３４】
また、他の発明によれば、ダンパ本体の突出長が変化する割合を示す突出長変化量表示手段をダンパ本体とグロメットとの少なくとも一方に設けたので、突出長変化量表示手段を見ながらダンパ本体をグロメットに対して回転させることにより、作業効率よく簡単にダンパ本体の突出長を所望長に調整、設定することができる。
【図面の簡単な説明】
【図１】この発明の一実施形態である緩衝装置の一部を断面にした分解正面図である。
【図２】図１に示した緩衝装置の一部を破断した分解斜視図である。
【図３】図１に示したグロメットの平面図である。
【図４】図１に示したストッパの平面図である。
【図５】この発明の一実施形態である緩衝装置をパネルに取り付けた状態を示す説明図である。
【図６】この発明の一実施形態である緩衝装置をパネルに取り付けた状態を示す説明図である。
【図７】この発明の一実施形態である緩衝装置におけるダンパ本体の突出長の調整を示す説明図である。
【図８】この発明の一実施形態である緩衝装置におけるダンパ本体の突出長の固定の仕方を示す説明図である。
【図９】この発明の他の実施形態である緩衝装置の分解斜視図である。
【図１０】図９に示したグロメットの平面図である。
【図１１】図９に示したグロメットの正面図である。
【図１２】図９に示したグロメットの底面図である。
【図１３】図１０のＥ−Ｅ線による断面図である。
【図１４】この発明の他の実施形態である緩衝装置のパネルへの取り付け方、ダンパ本体の突出長の調整の仕方を示す説明図である。
【符号の説明】
１１    ダンパ本体
１２    頭部
１３    軸部
１４    係合突部
１５    衝合突条
１６    雄ねじ
２１    グロメット
２２    筒部
２３    フランジ
２４    弾性挟持片
２５    弾性係止片
３１    ストッパ
３２    雌ねじ
４１    ダンパ本体
４２    頭部
４２ａ  指標
４３    軸部
４４    雄ねじ
５１    グロメット
５２    筒部
５３    フランジ
５３ａ  目盛り
５４    弾性挟持片
５５    雌ねじ
５６    回り止め突条
Ｐ      パネル
Ｈ，ｈ  取付孔
ｒ      突出孔
【図１】
0004329888.tif 000002
【図２】
0004329888.tif 000003
【図３】
0004329888.tif 000004
【図４】
0004329888.tif 000005
【図５】
0004329888.tif 000006
【図６】
0004329888.tif 000007
【図７】
0004329888.tif 000008
【図８】
0004329888.tif 000009
【図９】
0004329888.tif 000010
【図１０】
0004329888.tif 000011
【図１１】
0004329888.tif 000012
【図１２】
0004329888.tif 000013
【図１３】
0004329888.tif 000014
【図１４】
0004329888.tif 000015